(57)【特許請求の範囲】
【請求項１】
通信エリアを、複数の第１エリアに分割して管理すると共に、複数の第２エリアに分割して管理している通信方法であって、
無線基地局装置が、配下の第１エリア及び第２エリアを通知する報知情報を送信する工程と、
第２エリアに対して位置登録を行うことができない第１移動端末が、前記報知情報に含まれている前記第１エリアと現在の位置登録エリアとして記憶されている第１エリアとが異なる場合、前記無線基地局装置に対して、該第１エリアに対する第１位置登録要求信号を送信し、
第２エリアに対して位置登録を行うことができる第２移動端末が、前記報知情報に含まれている前記第２エリアが現在の位置登録エリアとして記憶されている第２エリアグループに含まれていない場合、前記無線基地局装置に対して、該第２エリアに対する第２位置登録要求信号を送信する工程とを有することを特徴とする通信方法。
【請求項２】
前記第１位置登録要求信号に応じて、前記第１エリアに対して前記第１移動端末の位置登録を行い、該第１移動端末に対して第１位置登録応答信号を送信する工程と、
前記第２位置登録要求信号に応じて、該第２エリアを含む第２エリアグループに対して前記第２移動端末の位置登録を行い、該第２移動端末に対して第２位置登録応答信号を送信する工程と、
前記第１移動端末が、現在の位置登録エリアとして、前記第１位置登録応答信号に含まれている前記第１エリアを記憶する工程と、
前記第２移動端末が、現在の位置登録エリアとして、前記第２位置登録応答信号に含まれている前記第２エリアグループを記憶する工程とを有することを特徴とする請求項１に記載の通信方法。
【請求項３】
前記第２移動端末が、前記報知情報に前記第２エリアが含まれておらず、該報知情報に含まれている前記第１エリアと現在の位置登録エリアとして記憶されている第１エリアとが異なる場合、前記無線基地局装置に対して、該第１エリアに対する第１位置登録要求信号を送信する工程とを有することを特徴とする請求項１に記載の通信方法。
【請求項４】
前記第１エリアのサイズは、前記第２エリアのサイズ以上であることを特徴とする請求項１に記載の通信方法。
【請求項５】
通信エリアを、複数の第１エリアに分割して管理すると共に、複数の第２エリアに分割して管理している移動通信システムで用いられる移動端末であって、
現在の位置登録エリアとして、前記複数の第１エリアの１つ、又は、前記複数の第２エリアのいくつかを含む第２エリアグループを記憶するように構成されている位置登録エリア記憶部と、
無線基地局装置から送信された報知情報に含まれている第２エリアが、前記位置登録エリア記憶部に前記現在の位置登録エリアとして記憶されている第２エリアグループに含まれていない場合、該無線基地局装置に対して、該第２エリアに対する第２位置登録要求信号を送信するように構成されている位置登録処理部とを具備し、
前記位置登録処理部は、前記報知情報に前記第２エリアが含まれておらず、該報知情報に含まれている前記第１エリアと現在の位置登録エリアとして記憶されている第１エリアとが異なる場合、前記無線基地局装置に対して、該第１エリアに対する第１位置登録要求信号を送信することを特徴とする移動端末。
【請求項６】
前記位置登録エリア記憶部は、前記現在の位置登録エリアとして、前記無線基地局装置から送信された第２位置登録応答信号に含まれている前記第２エリアグループを記憶するように構成されていることを特徴とする請求項５に記載の移動端末。
【発明の詳細な説明】
【技術分野】
【０００１】
本発明は、通信エリアを、複数の第１エリア（ＲＡ：Ｒｏｕｔｉｎｇ  Ａｒｅａ）或いはＬＡ：Ｌｏｃａｔｉｏｎ  Ａｒｅａ）に分割して管理すると共に、複数の第２エリア（ＸＡ）に分割して管理している通信方法、移動端末、交換機及び無線制御装置に関する。
【背景技術】
【０００２】
従来の移動通信システムでは、図１６に示すように、通勤電車等が、位置登録エリアの境界領域において、かかる通勤電車に乗っている全てのユーザの移動端末ａが、一斉に位置登録要求信号の送信を開始し、無線容量の圧迫や、交換機の処理負荷の増大を引き起し、このような位置登録要求信号の受信が集中した位置登録エリアにおいて、ネットワーク輻輳が発生し、アクセス規制が行われる。
【０００３】
このように、位置登録処理における輻輳が発生してしまった場合、輻輳が発生してしまったエリアに在圏していた移動端末ａについてもアクセス規制が行われてしまい、発着信処理及び位置登録処理が行えなくなってしまうという問題点があった。
【０００４】
かかる問題点を解決するために、３ＧＰＰ  ＳＡＥ（Ｓｙｓｔｅｍ  Ａｒｃｈｉｔｅｃｔｕｒｅ  Ｅｖｏｌｕｔｉｏｎ）において、各移動端末に対して、同時に位置登録を行うべき複数のＴＡ（Ｔｒａｃｋｉｎｇ  Ａｒｅａ）を個別に割り当てるように構成されている「Ｍｕｌｔｉｐｌｅ-ＴＡ方式」が提案されている。
【０００５】
図１７に示すように、「Ｍｕｌｔｉｐｌｅ-ＴＡ方式」では、移動端末Ａ乃至Ｃは、それぞれ割り当てられている複数のＴＡに対して、同時に位置登録を行うように構成されている。
【０００６】
例えば、移動端末Ａは、ＴＡ（Ａ）とＴＡ（Ｏ）（図示せず）との間の境界領域において、ＴＡ（Ａ）乃至ＴＡ（Ｃ）に対して同時に位置登録を行い、ＴＡ（Ｃ）とＴＡ（Ｄ）との間の境界領域において、ＴＡ（Ｄ）乃至ＴＡ（Ｆ）に対して同時に位置登録を行うように構成されている（図１７の（１）参照）。
【０００７】
すなわち、移動端末Ａは、例えば、ＴＡ（Ａ）とＴＡ（Ｂ）との間の境界領域においては、位置登録を行わないように構成されている。
【非特許文献１】３ＧＰＰ  ＴＳ２３.４０１  Ｖ１.１.０
【非特許文献２】３ＧＰＰ  ＴＲ２３.８８２  Ｖ１.１１.０
【発明の開示】
【発明が解決しようとする課題】
【０００８】
しかしながら、３ＧＰＰ  ＳＡＥにおいて採用される「Ｍｕｌｔｉｐｌｅ-ＴＡ方式」を、現在の３ＧＰＰ方式の移動通信システムに適用する「Ｍｕｌｔｉｐｌｅ-ＲＡ方式」では、図１８（ａ）及び（ｂ）に示すように、複数のＲＡに対して同時に位置登録を行うため、位置登録エリアが大きくなりすぎてしまい、制御の精度が荒くなると共に、特に、「Ｍｕｌｔｉｐｌｅ-ＲＡ方式」に非対応の移動端末に向けたページング量が増え、処理能力や周波数の制限等により、サービス不可となる可能性があるという問題点があった。
【０００９】
そこで、本発明は、上述の課題に鑑みてなされたものであり、「Ｍｕｌｔｉｐｌｅ-ＴＡ方式」における位置登録エリア（ＸＡ）を新規に定義し、既存の位置登録エリア（ＲＡ/ＬＡ）と併用可能とすることによって、位置登録処理の分散化を図ることができる通信方法、移動端末、交換機及び無線制御装置を提供することを目的とする。
【課題を解決するための手段】
【００１０】
本発明の第１の特徴は、通信エリアを、複数の第１エリアに分割して管理すると共に、複数の第２エリアに分割して管理している通信方法であって、無線基地局装置が、配下の第１エリア及び第２エリアを通知する報知情報を送信する工程と、第２エリアに対して位置登録を行うことができない第１移動端末が、前記報知情報に含まれている前記第１エリアと現在の位置登録エリアとして記憶されている第１エリアとが異なる場合、前記無線基地局装置に対して、該第１エリアに対する第１位置登録要求信号を送信し、第２エリアに対して位置登録を行うことができる第２移動端末が、前記報知情報に含まれている前記第２エリアが現在の位置登録エリアとして記憶されている第２エリアグループに含まれていない場合、前記無線基地局装置に対して、該第２エリアに対する第２位置登録要求信号を送信する工程とを有することを要旨とする。
【００１１】
本発明の第１の特徴において、前記第１位置登録要求信号に応じて、前記第１エリアに対して前記第１移動端末の位置登録を行い、該第１移動端末に対して第１位置登録応答信号を送信する工程と、前記第２位置登録要求信号に応じて、該第２エリアを含む第２エリアグループに対して前記第２移動端末の位置登録を行い、該第２移動端末に対して第２位置登録応答信号を送信する工程と、前記第１移動端末が、現在の位置登録エリアとして、前記第１位置登録応答信号に含まれている前記第１エリアを記憶する工程と、前記第２移動端末が、現在の位置登録エリアとして、前記第２位置登録応答信号に含まれている前記第２エリアグループを記憶する工程とを有してもよい。
【００１２】
本発明の第１の特徴において、前記第２移動端末が、前記報知情報に前記第２エリアが含まれておらず、該報知情報に含まれている前記第１エリアと現在の位置登録エリアとして記憶されている第１エリアとが異なる場合、前記無線基地局装置に対して、該第１エリアに対する第１位置登録要求信号を送信する工程とを有してもよい。
【００１３】
本発明の第１の特徴において、前記第１エリアのサイズは、前記第２エリアのサイズ以上であってもよい。
【００１４】
本発明の第２の特徴は、通信エリアを、複数の第１エリアに分割して管理すると共に、複数の第２エリアに分割して管理している移動通信システムで用いられる移動端末であって、現在の位置登録エリアとして、前記複数の第１エリアの１つ、又は、前記複数の第２エリアのいくつかを含む第２エリアグループを記憶するように構成されている位置登録エリア記憶部と、無線基地局装置から送信された報知情報に含まれている第２エリアが、前記位置登録エリア記憶部に前記現在の位置登録エリアとして記憶されている第２エリアグループに含まれていない場合、該無線基地局装置に対して、該第２エリアに対する第２位置登録要求信号を送信するように構成されている位置登録処理部とを具備することを要旨とする。
【００１５】
本発明の第２の特徴において、前記位置登録エリア記憶部は、前記現在の位置登録エリアとして、前記無線基地局装置から送信された第２位置登録応答信号に含まれている前記第２エリアグループを記憶するように構成されていてもよい。
【００１６】
本発明の第２の特徴において、前記位置登録処理部は、前記報知情報に前記第２エリアが含まれておらず、該報知情報に含まれている前記第１エリアと現在の位置登録エリアとして記憶されている第１エリアとが異なる場合、前記無線基地局装置に対して、該第１エリアに対する第１位置登録要求信号を送信するように構成されていてもよい。
【００１７】
本発明の第３の特徴は、通信エリアを、複数の第１エリアに分割して管理すると共に、複数の第２エリアに分割して管理している移動通信システムで用いられる交換機であって、移動端末から送信された位置登録要求信号が、該移動端末が前記第２エリアに対して位置登録を行うことができることを示している場合で、かつ、該位置登録要求信号に該第２エリアが設定されている場合に、該第２エリアを含む第２エリアグループに対して該移動端末を位置登録し、該第２エリアグループを設定した位置登録応答信号を送信するように構成されていることを要旨とする。
【００１８】
本発明の第３の特徴において、前記第１エリアのサイズは、前記第２エリアのサイズ以上であってもよい。
【００１９】
本発明の第４の特徴は、通信エリアを、複数の第１エリアに分割して管理すると共に、複数の第２エリアに分割して管理している移動通信システムで用いられる無線制御装置であって、移動端末から送信された位置登録要求信号が、該移動端末が前記第２エリアに対して位置登録を行うことができることを示している場合に、該位置登録要求信号に対して該移動端末が存在する前記第２エリアを設定して交換機に送信するように構成されていることを要旨とする。
【発明の効果】
【００２０】
以上説明したように、本発明によれば、「Ｍｕｌｔｉｐｌｅ-ＴＡ方式」における位置登録エリア（ＸＡ）を新規に定義し、既存の位置登録エリア（ＲＡ/ＬＡ）と併用可能とすることによって、位置登録処理の分散化を図ることができる通信方法、移動端末、交換機及び無線制御装置を提供することができる。
【発明を実施するための最良の形態】
【００２１】
（本発明の第１の実施形態に係る移動通信システムの構成）
図１乃至図７を参照して、本発明の第１の実施形態に係る移動通信システムの構成について説明する。
【００２２】
本実施形態では、３Ｇ（第３世代）移動通信システムを例に説明するが、本発明に係る移動通信システムの概念は、１Ｇ、２Ｇ、３Ｇ、Ｓｕｐｅｒ３Ｇ、４Ｇ、無線ＬＡＮ等の無線種別に依存せず適用可能である。
【００２３】
図１に示すように、本実施形態に係る移動通信システムは、携帯電話等の移動端末ａと、複数の無線基地局装置ｂ＃１乃至＃ｎと、無線制御装置ｃと、交換機ｄとを具備している。
【００２４】
また、本実施形態に係る移動通信システムでは、事業運用者によって定義される「ＸＡ」と呼ばれる「Ｍｕｌｔｉｐｌｅ-ＴＡ方式」の位置登録エリアｆを新規に定義し、事業運用者によって定義される「ＲＡ/ＬＡ」と呼ばれる既存の位置登録エリア（ＲＡ/ＬＡ）ｅと併用可能とする。
【００２５】
すなわち、本実施形態に係る移動通信システムは、通信エリアを、複数の第１エリア（ＸＡ）ｆに分割して管理すると共に、複数の第２エリア（ＲＡ/ＬＡ）ｅに分割して管理するように構成されている。
【００２６】
また、本実施形態に係る移動通信システムでは、ＲＡ/ＬＡのみを設定する領域（例えば、ＲＡ/ＬＡ_ａ）と、ＲＡ/ＬＡに加えてＸＡを設定する領域（例えば、ＲＡ/ＬＡ_ｂ乃至ＲＡ/ＬＡ_ｄ）を並存させている。
【００２７】
さらに、本実施形態に係る移動通信システムにおいて、ＸＡが設定されている領域では、移動端末ａは、ＲＡ/ＬＡを無視して、ＸＡのみを考慮して、位置登録処理を実施する。
【００２８】
一方、本実施形態に係る移動通信システムにおいて、ＲＡ/ＬＡのみが設定されている領域では、移動端末ａは、今までと同様の位置登録処理を実施する。
【００２９】
また、本実施形態に係る移動通信システムは、複数のＸＡ（例えば、ＸＡ_ａ乃至ＸＡ_ｄ）を含むＸＡリストｇを形成するように構成されている。
【００３０】
ここで、各移動端末ａに対して、別々のＸＡリストｇを割り当てることで、各移動端末ａにおける位置登録エリアの境界領域をずらすことで，位置登録の分散化を実現することができる。
【００３１】
なお、移動端末ａは、現在の位置登録エリアを記憶するように構成されているメモリｈを具備している。
【００３２】
図２に示すように、ＸＡのサイズは、回線交換用位置登録エリアであるＬＡのサイズよりも小さく、パケット交換用位置登録エリアであるＲＡのサイズと同じか或いは小さいものとして定義されており、ＸＡは、複数のセルを含むように構成されている。
【００３３】
また、特定の領域において、ＬＡ又はＲＡに重ねてＸＡを定義することが可能である。また、ネットワーク全体ではなく、必要に応じて、特定の場所に、ＸＡを定義することが可能である。
【００３４】
包含関係は、原則、「ＬＡ≧ＲＡ≧ＸＡ≧セル」であるものとするが、「ＬＡ≧ＲＡ」かつ「同一の回線交換用交換機によるカバーエリア≧ＸＡ」かつ「同一のパケット交換用交換機によるカバーエリア≧ＸＡ」であってもよい。
【００３５】
また、ＸＡは、原則、回線交換ドメイン（ＣＳ：Ｃｉｒｃｕｉｔ  Ｓｗｉｔｃｈｅｄ  Ｄｏｍａｉｎ）/パケット交換ドメイン（ＰＳ：Ｐａｃｋｅｔ  Ｓｗｉｔｃｈｅｄ  Ｄｏｍａｉｎ）を問わず、共通のＩＤによって管理されるが、別のＩＤによって管理されていてもよい。
【００３６】
移動端末ａは、記憶しているＸＡリストｇに含まれるＸＡの外に移動した時に、位置情報更新処理を実施し、新しいＸＡリストｇを取得する。
【００３７】
また、本実施形態に係る移動通信システムでは、図３に示すように、ＸＡリストｇは、加入者毎に割り当てられるように構成されている。
【００３８】
ここで、本実施形態に係る移動通信システムにおいて、各加入者のＣＳドメインとＰＳドメインとに対して、共通のＸＡリストｇを割り当てるように構成されていてもよい。
【００３９】
また、各加入者のＣＳドメインとＰＳドメインとで異なるＸＡを持つ場合は、各加入者のＣＳドメイン及びＰＳドメイン毎に、異なるＸＡリスト（ＣＳ用ＸＡリストｇ１及びＰＳ用ＸＡリストｇ２）を保持してもよい。
【００４０】
ＸＡリストｇの包含関係は、以下に示す通りである。
【００４１】
「同一の回線交換用交換機によるカバーエリア≧ＸＡリストに含まれるＸＡによって構成されるエリア」かつ「同一のパケット交換用交換機によるカバーエリア≧ＸＡリストに含まれるＸＡによって構成されるエリア」
【００４２】
なお、交換機の分散制御（Ｉｕ-Ｆｌｅｘ）を構成している場合には、「回線交換用の交換機分散制御エリア≧ＸＡリストに含まれるＸＡによって構成されるエリア」かつ「パケット交換用の交換機分散制御エリア≧ＸＡリストに含まれるＸＡによって構成されるエリア」となる。
【００４３】
以下、図４乃至図７を参照して、本実施形態に係る移動通信システムにおける位置登録処理について、具体的に説明する。
【００４４】
第１に、図４に示すように、ＸＡ（第２エリア）に対して位置登録を行うことができないＸＡ非対応移動端末（第１移動端末）は、無線基地局装置ｃから送信された報知情報にＸＡが含まれている場合であっても、かかるＸＡを無視して、既存の位置登録処理を行うように構成されている。
【００４５】
すなわち、かかるＸＡ非対応移動端末は、受信した報知情報に含まれているＲＡ_Ｂ（第１エリア）と現在の位置登録エリアとして記憶されているＲＡ_Ａ（第１エリア）とが異なる場合、無線基地局装置ｂに対して、当該ＲＡ_Ｂ（第１エリア）に対する第１位置登録要求信号を送信するように構成されている。
【００４６】
また、無線基地局装置ｂは、第１位置登録要求信号に応じて、当該ＲＡ_Ｂ（第１エリア）に対してＸＡ非対応移動端末の位置登録を行い、かかるＸＡ非対応移動端末に対して第１位置登録応答信号を送信するように構成されている。
【００４７】
また、ＸＡ非対応移動端末は、現在の位置登録エリアとして、受信した第１位置登録応答信号に含まれているＲＡ_Ｂ（第１エリア）を記憶するように構成されている。
【００４８】
第２に、図５に示すように、ＸＡ（第２エリア）に対して位置登録を行うことができるＸＡ対応移動端末（第２移動端末）は、ＸＡが設定されていない領域では、すなわち、無線基地局装置ｃから送信された報知情報にＸＡが含まれていない場合には、既存の位置登録処理を行うように構成されている。
【００４９】
すなわち、かかるＸＡ対応移動端末は、受信した報知情報に含まれているＲＡ_Ｂ（第１エリア）と現在の位置登録エリアとして記憶されているＲＡ_Ａ（第１エリア）とが異なる場合、無線基地局装置ｂに対して、当該ＲＡ_Ｂ（第１エリア）に対する第１位置登録要求信号を送信するように構成されている。
【００５０】
一方、かかるＸＡ対応移動端末は、無線基地局装置ｃから送信された報知情報にＸＡ_ａ（第２エリア）が含まれている場合には、かかる報知情報に含まれているＸＡ_ａが現在の位置登録エリアとして記憶されているＸＡリスト（第２エリアグループ）に含まれていない場合に、当該ＸＡ_ａに対する第２位置登録要求信号を送信するように構成されている。
【００５１】
また、無線基地局装置ｂは、受信した第２位置登録要求信号に応じて、当該ＸＡ_ａ（第２エリア）を含むＸＡ_ａ及びＸＡ_ｂからなるＸＡリスト（第２エリアグループ）に対してＸＡ対応移動端末の位置登録を行い、かかるＸＡ対応移動端末に対して第２位置登録応答信号を送信するように構成されている。
【００５２】
さらに、ＸＡ対応移動端末は、現在の位置登録エリアとして、受信した第２位置登録応答信号に含まれているＸＡリスト（第２エリアグループ）を記憶するように構成されている。
【００５３】
第３に、図６に示すように、ＸＡ対応移動端末は、ＸＡ_ａとＸＡ_ｂとの間の境界領域では、無線基地局装置から受信した報知情報に含まれているＸＡ_ｂが現在の位置登録エリアとして記憶されているＸＡリスト（第２エリアグループ）に含まれているため、ＸＡ_ｂも既に位置登録されていると判断し、当該ＸＡ_ｂに対する第２位置登録要求信号を送信しないで無視するように構成されている。
【００５４】
また、ＸＡ対応移動端末は、ＸＡ_ｂとＸＡ_ｃとの間の境界領域では、無線基地局装置から受信した報知情報に含まれているＸＡ_ｃが現在の位置登録エリアとして記憶されているＸＡリスト（第２エリアグループ）に含まれていないため、ＸＡ_ｃには未だ位置登録されていないと判断し、当該ＸＡ_ｃに対する第２位置登録要求信号を送信するように構成されている。
【００５５】
第４に、図７に示すように、ＸＡ対応移動端末は、ＸＡ_ｄの外に移動する場合には、無線基地局装置から受信した報知情報にＸＡが含まれていないため、かかる報知情報に含まれているＲＡ_Ｄに対する第１位置登録要求信号を送信するように構成されている。
【００５６】
（本発明の第１の実施形態に係る移動通信システムの動作）
以下、図８乃至図１５を参照して、本実施形態に係る移動通信システムの動作について説明する。
【００５７】
本実施形態では、３Ｇ移動通信システムのＲＡ及びＸＡを利用した位置登録処理を前提として説明を行うが、本発明は、ＬＡ及びＸＡを利用して位置登録処理、或いは、ＬＡとＲＡとＸＡとを複合的に利用した位置登録処理の場合でも、基本的に同じ動作であるため、適用可能である。
【００５８】
また、以下の例では、位置登録エリアを越えた際の位置登録処理を例に取っているが、本発明は、周期的な位置登録処理の場合にも適用可能である。
【００５９】
第１に、図８を参照して、本実施形態に係る移動通信システムにおいて、報知情報を通知する動作について説明する。
【００６０】
図８に示すように、ステップＳ１において、ＸＡ対応領域（ＸＡが設定されている領域）では、無線制御装置ｃが、無線基地局装置ｂに対して、ＲＡを識別するための識別子（ＲＡＩ）に加えて、ＸＡを識別するための識別子（ＸＡＩ）を含む報知情報更新要求信号を送信する。
【００６１】
ステップＳ２において、無線基地局装置ｂが、無線制御装置ｃに対して、報知情報更新応答信号を送信する。
【００６２】
ステップＳ３において、報知情報更新要求信号を受信した無線基地局装置ｂは、報知情報に、ＲＡＩに加えてＸＡＩを設定して、移動端末ａに向けて報知する。
【００６３】
第２に、図９を参照して、本実施形態に係る移動通信システムにおいて、ＸＡ対応移動端末ａが、ＸＡに在圏している時の位置登録処理について説明する。
【００６４】
ステップＳ４において、ＸＡ対応移動端末ａは、無線基地局装置ｂから受信した報知情報に設定されているＸＡＩに基づいて、現在の位置登録エリアとして記憶されているエリアから外のＸＡ対応エリアに入ったことを認識する。
【００６５】
ステップＳ５において、ＸＡ対応移動端末ａと無線基地局装置ｂ無線制御装置ｃとの間でコネクションを確立する。
【００６６】
ステップＳ６において、上述のコネクションが確立された後、ＸＡ対応移動端末ａは、無線制御装置ｃに向けて、報知情報に含まれているＸＡに対する位置登録要求信号（第２位置登録要求信号）を送信する。
【００６７】
ここで、位置登録要求信号は、公知の信号であってもよいし、新しく定義された信号であってもよい。また、かかる位置登録要求信号には、ＸＡ対応フラグが設定されており、ＸＡ対応移動端末ａが、ＸＡに位置登録することが可能であることを通知する。
【００６８】
ステップＳ７において、かかる位置登録要求信号を受信した無線制御装置ｃは、交換機ｄに対して、位置登録要求信号を送信する。
【００６９】
かかる位置登録要求信号には、ＸＡ対応フラグ、及び、ＸＡ対応移動端末ａが在圏するＲＡ及びＸＡが設定されている。また、かかる位置登録要求信号は、公知の信号であってもよいし、新しく定義された信号であってもよい。
【００７０】
ステップＳ８において、位置登録要求信号を受信した交換機ｄ及び移動端末ａは、必要に応じて、認証処理及び秘匿処理を実施する。
【００７１】
ステップＳ９において、上述の認証処理及び秘匿処理が完了したら、交換機ｄは、上述の位置登録要求信号に含まれるＸＡを含む複数のＸＡに対してＸＡ対応移動端末ａを位置登録し、無線制御装置ｃに対して、位置登録応答信号（第２位置登録応答信号）を送出する。
【００７２】
かかる位置登録応答信号には、当該ＸＡ対応移動端末ａが位置登録された複数のＸＡを含むＸＡリストｇが設定される。なお、かかる位置登録応答信号も、公知の信号であってもよいし、新しく定義された信号であってもよい。
【００７３】
ステップＳ１０において、無線制御装置ｃが、移動端末ａに向けて、上述の位置登録応答信号を送信する。
【００７４】
第３に、図１０を参照して、本実施形態に係る移動通信システムにおいて、ＸＡ対応移動端末ａが、ＲＡのみが設定されておりＸＡが併用されていない領域に在圏している時の位置登録処理について説明する。
【００７５】
ステップＳ１１において、ＸＡ対応移動端末ａは、無線基地局装置ｂから受信した報知情報に設定されているＲＡＩに基づいて、現在の位置登録エリアとして記憶されているエリアから外のＸＡ非対応エリア（ＲＡ）に入ったことを認識する。
【００７６】
ステップＳ１２において、ＸＡ対応移動端末ａと無線基地局装置ｂ無線制御装置ｃとの間でコネクションを確立する。
【００７７】
ステップＳ１３において、上述のコネクションが確立された後、ＸＡ対応移動端末ａは、無線制御装置ｃに向けて、報知情報に含まれているＲＡに対する位置登録要求信号（第１位置登録要求信号）を送信する。
【００７８】
ここで、位置登録要求信号は、公知の信号であってもよいし、新しく定義された信号であってもよい。また、かかる位置登録要求信号には、ＸＡ対応フラグが設定されており、ＸＡ対応移動端末ａが、ＸＡに位置登録することが可能であることを通知する。
【００７９】
ステップＳ１４において、かかる位置登録要求信号を受信した無線制御装置ｃは、交換機ｄに対して、位置登録要求信号を送信する。
【００８０】
かかる位置登録要求信号には、ＸＡ対応フラグ、及び、ＸＡ対応移動端末ａが在圏するＲＡが設定されている。また、かかる位置登録要求信号は、公知の信号であってもよいし、新しく定義された信号であってもよい。
【００８１】
ステップＳ１５において、位置登録要求信号を受信した交換機ｄ及び移動端末ａは、必要に応じて、認証処理及び秘匿処理を実施する。
【００８２】
ステップＳ１６において、上述の認証処理及び秘匿処理が完了したら、交換機ｄは、上述の位置登録要求信号に含まれるＲＡに対してＸＡ対応移動端末ａを位置登録し、無線制御装置ｃに対して、位置登録応答信号（第１位置登録応答信号）を送出する。
【００８３】
かかる位置登録応答信号には、当該ＸＡ対応移動端末ａが位置登録されたＲＡが設定される。なお、かかる位置登録応答信号も、公知の信号であってもよいし、新しく定義された信号であってもよい。
【００８４】
ステップＳ１７において、無線制御装置ｃが、移動端末ａに向けて、上述の位置登録応答信号を送信する。
【００８５】
第４に、図１１を参照して、本実施形態に係る移動通信システムにおいて、ＸＡ非対応移動端末ａが、ＲＡのみが設定されておりＸＡが併用されていない領域、或いは、ＸＡとＲＡとが併用されている領域に在圏している時の位置登録処理について説明する。
【００８６】
ステップＳ１８において、ＸＡ非対応移動端末ａは、無線基地局装置ｂから受信した報知情報に設定されているＲＡＩに基づいて、現在の位置登録エリアとして記憶されているＲＡとは異なるＲＡに入ったことを認識する。
【００８７】
ステップＳ１９において、ＸＡ非対応移動端末ａと無線基地局装置ｂ無線制御装置ｃとの間でコネクションを確立する。
【００８８】
ステップＳ２０において、上述のコネクションが確立された後、ＸＡ非対応移動端末ａは、無線制御装置ｃに向けて、報知情報に含まれているＲＡに対する位置登録要求信号（第１位置登録要求信号）を送信する。
【００８９】
ここで、位置登録要求信号は、公知の信号であってもよいし、新しく定義された信号であってもよい。また、かかる位置登録要求信号には、ＸＡ対応フラグが設定されておらず、ＸＡ非対応移動端末ａが、ＸＡに位置登録することができないことを通知する。
【００９０】
ステップＳ２１において、かかる位置登録要求信号を受信した無線制御装置ｃは、交換機ｄに対して、位置登録要求信号を送信する。
【００９１】
かかる位置登録要求信号には、ＸＡ対応フラグが設定されておらず、及び、ＸＡ非対応移動端末ａが在圏するＲＡ及び当該ＲＡに重なって定義されているＸＡが設定されている。また、かかる位置登録要求信号は、公知の信号であってもよいし、新しく定義された信号であってもよい。
【００９２】
ステップＳ２２において、位置登録要求信号を受信した交換機ｄ及び移動端末ａは、必要に応じて、認証処理及び秘匿処理を実施する。
【００９３】
ステップＳ２３において、上述の認証処理及び秘匿処理が完了したら、交換機ｄは、上述の位置登録要求信号に含まれるＲＡに対してＸＡ非対応移動端末ａを位置登録し、無線制御装置ｃに対して、位置登録応答信号（第１位置登録応答信号）を送出する。
【００９４】
かかる位置登録応答信号には、当該ＸＡ非対応移動端末ａが位置登録されたＲＡが設定される。なお、かかる位置登録応答信号も、公知の信号であってもよいし、新しく定義された信号であってもよい。
【００９５】
ステップＳ２４において、無線制御装置ｃが、移動端末ａに向けて、上述の位置登録応答信号を送信する。
【００９６】
次に、図１２を参照して、本実施形態に係る移動通信システムにおいて、ＸＡ対応移動端末ａが、位置登録エリアを変更した際の動作について説明する。
【００９７】
図１２に示すように、ステップＳ２５において、ＸＡ対応移動端末ａが、エリアを越えて移動する。
【００９８】
ステップＳ２６において、ＸＡ対応移動端末ａが、無線基地局装置ｂからの新しいエリアを示す報知情報にＸＡが含まれているか否かについて判定する。
【００９９】
ＸＡが報知情報に含まれていた場合、ＸＡ対応移動端末ａは、ステップＳ２７において、メモリ（記憶部）ｈに記憶されている現在の位置登録エリアが、ＲＡではなく、ＸＡリストｇであるか否かについて判定する。
【０１００】
メモリ（記憶部）ｈに記憶されている現在の位置登録エリアが、ＸＡリストｇでない場合、ＸＡ対応移動端末ａは、ステップＳ２８において、上述の図９に示す手順に従って、位置登録処理を実施する。
【０１０１】
一方、メモリ（記憶部）ｈに記憶されている現在の位置登録エリアが、ＸＡリストｇである場合、ＸＡ対応移動端末ａは、ステップＳ２９において、報知情報に設定されているＸＡが、かかるＸＡリストｇに含まれるＸＡであるか否かについて判定する。
【０１０２】
報知情報に設定されているＸＡが、上述のＸＡリストｇに含まれていない場合、ＸＡ対応移動端末ａは、ステップＳ３０において、上述の図９に示す手順に従って、位置登録処理を実施する。
【０１０３】
一方、報知情報に設定されているＸＡが、上述のＸＡリストｇに含まれている場合、ＸＡ対応移動端末ａは、ステップＳ２９において、位置登録処理を実施しない。
【０１０４】
これに対して、無線基地局装置ｂからの報知情報にＸＡが含まれていなかった場合、ＸＡ対応移動端末ａは、ステップＳ３２において、メモリｈに記憶している現在の位置登録エリアが、ＲＡではなく、ＸＡリストｇであるか否かについて判定する。
【０１０５】
メモリ（記憶部）ｈに記憶されている現在の位置登録エリアが、ＸＡリストｇである場合、ＸＡ対応移動端末ａは、ステップＳ３３において、上述の図１０に示す手順に従って、位置登録処理を実施する。
【０１０６】
一方、メモリ（記憶部）ｈに記憶されている現在の位置登録エリアが、ＸＡリストｇでない場合、ＸＡ対応移動端末ａは、ステップＳ３４において、報知情報に設定されているＲＡが、メモリｈに記憶している現在の位置登録エリアと同一であるか否かについて判定する。
【０１０７】
報知情報に設定されているＲＡが、メモリｈに記憶している現在の位置登録エリアと同一であると判定された場合、ＸＡ対応移動端末ａは、ステップＳ３５において、位置登録処理を実施しない。
【０１０８】
これに対して、報知情報に設定されているＲＡが、メモリｈに記憶している現在の位置登録エリアと同一でないと判定された場合、ＸＡ対応移動端末ａは、ステップＳ３６において、既存の手順によって、位置登録処理を実施する。
【０１０９】
次に、図１３及び図１４を参照して、ＸＡ非対応移動端末ａ及びＸＡ対応移動端末ａが位置登録処理を完了する際の動作について説明する。
【０１１０】
図１３に示すように、ＸＡ非対応移動端末ａは、ステップＳ３７において、位置登録要求信号を無線制御装置ｃに向けて送信し、ステップＳ３８において、無線制御装置ｃから無線基地局装置ｂを介して位置登録応答信号を受信する。
【０１１１】
その後、ステップＳ３９において、ＸＡ非対応移動端末ａは、メモリｈに、位置登録応答信号に含まれているＲＡを、現在の位置登録エリアとして記憶する。
【０１１２】
これに対して、図１４に示すように、ステップＳ４０において、ＸＡ対応移動端末ａは、ＸＡ対応フラグを設定した位置登録要求信号を、無線制御装置ｃに向けて送信する。
【０１１３】
ステップＳ４１において、ＸＡ対応移動端末ａは、無線制御装置ｃから、位置登録応答信号を受信した際に、かかる位置登録応答信号にＸＡリストｇが含まれているか否かについて判定する。
【０１１４】
かかる位置登録応答信号にＸＡリストｇが含まれていると判定された場合、ステップＳ４２において、ＸＡ対応移動端末ａは、現在の位置登録エリアとして、位置登録応答信号に含まれていたＸＡリストｇをメモリｈに記憶する。
【０１１５】
かかる位置登録応答信号にＸＡリストｇが含まれていないと判定された場合、ステップＳ４３において、ＸＡ対応移動端末ａは、現在の位置登録エリアとして、位置登録応答信号に含まれていたＲＡをメモリｈに記憶する。
【０１１６】
次に、図１５を参照して、移動端末ａが位置登録を行う時の交換機ｄの動作について説明する。
【０１１７】
図１５に示すように、ステップＳ４４において、交換機ｄは、無線制御装置ｃから、位置登録要求信号を受信する。
【０１１８】
ステップＳ４５において、交換機ｄは、位置登録要求信号に、ＸＡ対応フラグが設定されているか否かについて判定する。
【０１１９】
ＸＡ対応フラグが位置登録要求信号に設定されていない場合は、ステップＳ４６において、交換機ｄが、位置登録エリアとしてＲＡを設定した位置登録応答信号を、移動端末ａに対して送信する。
【０１２０】
一方、ＸＡ対応フラグが位置登録要求信号に設定されている場合は、ステップＳ４７において、交換機ｄが、無線制御装置ｃからの位置登録要求信号に、ＸＡが設定されているか否かについて判定する。
【０１２１】
ＸＡが位置登録要求信号に設定されていない場合は、ステップＳ４８において、交換機ｄが、位置登録エリアとしてＲＡを設定した位置登録応答信号を、移動端末ａに対して送信する。
【０１２２】
一方、ＸＡが位置登録要求信号に設定されている場合は、ステップＳ４９において、交換機ｄが、かかる位置登録要求信号に対応する移動端末ａに適用するＸＡリストｇを作成する。
【０１２３】
ステップＳ５０において、交換機ｄは、生成したＸＡリストｇを位置登録エリアとして設定した位置登録応答信号を、移動端末ａに対して送信する。
【０１２４】
（本実施形態に係る移動通信システムの作用・効果）
本実施形態に係る移動通信システムによれば、「Ｍｕｌｔｉｐｌｅ-ＴＡ方式」における位置登録エリア（ＸＡ）を新規に定義し、既存の位置登録エリア（ＲＡ/ＬＡ）と併用可能とすることによって、位置登録処理の分散化を図ることができる。
【０１２５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１２６】
【図１】本発明の第１の実施形態に係る移動通信システムの全体構成図である。
【図２】本発明の第１の実施形態に係る新規位置登録エリア（ＸＡ）について説明するための図である。
【図３】本発明の第１の実施形態に係る新規位置登録エリア（ＸＡ）リストについて説明するための図である。
【図４】本発明の第１の実施形態に係る移動通信システムの動作について説明するための図である。
【図５】本発明の第１の実施形態に係る移動通信システムの動作について説明するための図である。
【図６】本発明の第１の実施形態に係る移動通信システムの動作について説明するための図である。
【図７】本発明の第１の実施形態に係る移動通信システムの動作について説明するための図である。
【図８】本発明の第１の実施形態に係る移動通信システムにおいて報知情報を通知する動作を示すシーケンス図である。
【図９】本発明の第１の実施形態に係る移動通信システムにおいて位置登録を行う動作を示すシーケンス図である。
【図１０】本発明の第１の実施形態に係る移動通信システムにおいて位置登録を行う動作を示すシーケンス図である。
【図１１】本発明の第１の実施形態に係る移動通信システムにおいて位置登録を行う動作を示すシーケンス図である。
【図１２】本発明の第１の実施形態に係る移動端末の動作を示すフローチャートである。
【図１３】本発明の第１の実施形態に係る移動端末の動作を示すフローチャートである。
【図１４】本発明の第１の実施形態に係る移動端末の動作を示すフローチャートである。
【図１５】本発明の第１の実施形態に係る交換機の動作を示すフローチャートである。
【図１６】従来の移動通信システムの問題点を説明するための図である。
【図１７】Ｍｕｌｔｉｐｌｅ-ＴＡ方式について説明するための図である。
【図１８】従来の移動通信システムの問題点を説明するための図である。
【符号の説明】
【０１２７】
ａ…移動端末
ｂ…無線基地局装置
ｃ…無線制御装置
ｄ…交換機
ｅ…ＲＡ/ＬＡ
ｆ…ＸＡ
ｇ…ＸＡリスト
ｈ…メモリ
ｉ…セル
【図１】
0005060870.tif 000002
【図２】
0005060870.tif 000003
【図３】
0005060870.tif 000004
【図４】
0005060870.tif 000005
【図５】
0005060870.tif 000006
【図６】
0005060870.tif 000007
【図７】
0005060870.tif 000008
【図８】
0005060870.tif 000009
【図９】
0005060870.tif 000010
【図１０】
0005060870.tif 000011
【図１１】
0005060870.tif 000012
【図１２】
0005060870.tif 000013
【図１３】
0005060870.tif 000014
【図１４】
0005060870.tif 000015
【図１５】
0005060870.tif 000016
【図１６】
0005060870.tif 000017
【図１７】
0005060870.tif 000018
【図１８】
0005060870.tif 000019